(57)【要約】【課題】樹脂材及び木材チップ等の多孔質フィルター材を用いて製造した矩形及び円形等のドーナツ状の中空ブロックを繊維シート（マット）上に相互に間隔を介し整列配置し連続模様を形成可能なブロックマットを提供し、緑化の確実かつ積極的な保護工を寄与し、施工効率の向上及び製造コストの低減を図る。【解決手段】製造過程において多孔中空ブロックとシートを一体化した製品を提供し、多孔中空ブロックマットをクレーン等で吊り上げ地表勾配と製品勾配をほぼ同一対面として敷設して作業効率の向上と地表の浸食・崩壊防止を同時に可能とする。【選択図】  図１
2004344063.tif 000002
【特許請求の範囲】
【請求項１】
繊維フィルターシート（２）の同一面上に相互に間隔を介し、整列配置された樹脂材及び木材チップ等の多孔質フィルター材から成る矩形状及び円形状等のドーナツ状の中空型ブロック（１）又は半中空型ブロック（１’）を形成し、且つ、該各ブロック（１）（１’）の底面と繊維フィルターシート（２）を、接着剤・熱溶着・金具等の係着手段（Ｇ）で係着し、且つ、一体化されたブロックマット（１）（２）・（１’）（２）は、それぞれ可撓性・通気性及び適度の透水性と保水性を有し、且つ、軽量大型化を可能とした多孔ブロック製品と各ブロック（１）（１’）の中空部（１ｂ）又は半中空部（１ｂ’）及びブロック相互の間（３）に土砂・培養土又は木材チップ等の生育基盤材及び種子等からなる混合物（Ｍ）とで構成したことを特徴とする多孔中空型又は多孔半中空型ブロックマットの製造方法。
【請求項２】
同一面上の繊維フィルターシート（２）上に配置されたブロック（１）（１’）の中空部（１ｂ）又は半中空部（１ｂ’）及びブロック相互の間（３）に土砂・培養土又は木材チップ等の生育基盤材を充填したときブロック中空部とブロック相互の間が枠形状となり土砂・培養土又は木材チップ等の生育基盤材及び種子等からなる混合物（Ｍ）の流出を防ぐと同時に斜面等の保護を特徴とする多孔中空型又は多孔半中空型ブロックマットの斜面等の保護及び緑化工法。
【請求項３】
繊維フィルターシート（２）及び多孔質フィルター材で形成された各ブロック枠は、繊維フィルターシート上に配置されたブロック中空部（１ｂ）又は半中空部（１ｂ’）及びブロック相互の間（３）に土砂・培養土又は木材チップ等の生育基盤材を充填したとき雨水排水機能を有し、且つ、斜面上の降雨を繊維フィルターシート（２）及び各ブロック枠の多孔質フィルター内部を経由しながら斜面外に排除し、降雨による斜面等の侵食、崩壊を防止することを特徴とする請求項２記載の多孔中空型又は多孔半中空型ブロックマットの斜面等の保護及び緑化工法。
【請求項４】
多孔質フィルター材で製造された各ブロック枠は、繊維フィルターシート（２）上に配置されたブロック中空部（１ｂ）又は半中空部（１ｂ’）及びブロック相互の間（３）に土砂・培養土又は木材チップ等の生育基盤材を充填したとき同時に植物を発芽・発根・活着させ斜面等に全植生・全緑化を可能とすることを特徴とする請求項２又は３記載の多孔中空型又は多孔半中空型ブロックマットの斜面等の保護及び緑化工法。
【請求項５】
多孔中空型ブロックマット（１）（２）又は多孔半中空型ブロックマット（１’）（２）は、軽量化及び大型化を可能とし、且つ、該多孔中空又は半中空型ブロックマットを必要量ずつ施工現場に搬送し、敷設準備の整った斜面等へ１枚ずつクレーン及び吊り治具を介して敷き並べ安定杭等で固定して前記斜面を被覆することにより一時的に保護した後、雨水又は散水によって植物を発芽・発根・活着させ植生によって斜面等を安定させることを特徴とする請求項２又は３又は４記載の多孔中空型又は多孔半中空型ブロックマットの斜面等の保護及び緑化工法。
【発明の詳細な説明】
【０００１】
【発明の属する技術分野】
本発明は、既製部材及び植生を利用して斜面を被覆し、地表面の侵食、崩壊を防止するために使用する多孔中空型又は多孔半中空型ブロックマットとその製造方法及び前記多孔中空型又は多孔半中空型ブロックマットを使用する斜面等の安定化工法に関するものである。
【０００２】
【従来の技術】
従来、護岸・河川堤防・道路・造成等の法面及び斜面の保護工事には、通常、生育基盤材・植生人工張芝等による法面緑化工及び張りブロック・格子枠ブロック（コンクリート・鉄・樹脂製）等が用いられている。
【０００３】
又、生育基盤材・植生人工張芝等は、緑化基盤材（種子吹付）・植生筋芝・植生張芝を施工現場の法面整形地盤面に対し直接施工が一般的である。
【０００４】
そして、この直接施工は、安価ではあるが施工直後の直接降雨による生育基盤材等の流出又は気象条件等により植生効果が不安定であり繰り返し植生工を行う場合がある。また地表面の浸食があり再整形等の補修を行う場合がある。
【０００５】
又、張りブロック・格子枠ブロックは、各製品が分割して製造された後、施工現場に運搬され敷設面において組立施工するのが一般的である。
【０００６】
この組立施工では、クレーン等により施工箇所に搬送された後、斜面上で作業が行われ敷設作業者は長時間斜面上で安全ロープ等を装備して作業を行うため危険、且つ、労力と時間を割いている。
【０００７】
又、法面の斜面肩部と水平部との連結性が無く、製品の斜面上での滑動を抑制する場合、斜面肩水平部を杭打ち等で行う安定方法が一般的であるが、張りブロック・格子枠ブロックの場合は独立した各ブロック及び各格子枠に抑制杭打ち等を必要とし、安定用抑制杭打ちが多数必要となる。
【０００８】
そして、製品を地表面に直接敷設することが一般的であり、降雨により地表及び敷設された製品と地表との間が浸食されることがあり地表面及び製品の補修を伴う。
【０００９】
更に、製品部材により植生緑化率の低下をおこし、コンクリート等の露出により自然景観を阻害する場合がある。
【００１０】
【発明が解決しようとする課題】
そこで、この発明は護岸・河川堤防・道路・造成等の法面及び斜面における自然景観・植生効果・緑化効果・地表等の浸食防止の為、多孔中空型又は多孔半中空型ブロックマットの製造方法と、斜面等の保護及び緑化工法を開発・提供するものである。
【００１１】
【課題を解決するための手段】
上記目的を達成するために、この発明は製造過程において、多孔中空型又は多孔半中空型ブロックと、繊維フィルターシートを一体化したブロックマットを形成し、且つ、該多孔中空又は多孔半中空ブロックマットをクレーン等で吊り上げ、地表勾配と製品勾配をほぼ同一対面に敷設したものである。
【００１２】
【発明の実施の形態】
そこで、この発明の一実施例を図１〜図３に従って詳述すると、繊維フィルターシート（２）の同一面上に相互に間隔を介し、整列配置された樹脂材及び木材チップ等の多孔質フィルター材から成る矩形状及び円形状等のドーナツ状の中空型ブロック（１）又は半中空型ブロック（１’）を形成し、且つ、該各ブロック（１）（１’）の底面と繊維フィルターシート（２）を、接着剤・熱溶着・金具等の係着手段（Ｇ）で係着し、且つ、一体化されたブロックマット（１）（２）・（１’）（２）は、それぞれ可撓性・通気性及び適度の透水性と保水性を有し、且つ、軽量大型化を可能とした多孔ブロック製品と各ブロック（１）（１’）の中空部（１ｂ）又は半中空部（１ｂ’）及びブロック相互の間（３）に土砂・培養土又は木材チップ等の生育基盤材及び種子等からなる混合物（Ｍ）とで構成したことを特徴とする多孔中空型又は多孔半中空型ブロックマットの製造方法から構成される。
【００１３】
又、同一面上の繊維フィルターシート（２）上に配置されたブロック（１）（１’）の中空部（１ｂ）又は半中空部（１ｂ’）及びブロック相互の間（３）に土砂・培養土又は木材チップ等の生育基盤材を充填したときブロック中空部とブロック相互の間が枠形状となり土砂・培養土又は木材チップ等の生育基盤材及び種子等からなる混合物（Ｍ）の流出を防ぐと同時に斜面等の保護を特徴とする多孔中空型又は多孔半中空型ブロックマットの斜面等の保護及び緑化工法から構成される。
【００１４】
又、繊維フィルターシート（２）及び多孔質フィルター材で形成された各ブロック枠は、繊維フィルターシート上に配置されたブロック中空部（１ｂ）又は半中空部（１ｂ’）及びブロック相互の間（３）に土砂・培養土又は木材チップ等の生育基盤材を充填したとき雨水排水機能を有し、且つ、斜面上の降雨を繊維フィルターシート（２）及び各ブロック枠の多孔質フィルター内部を経由しながら斜面外に排除し、降雨による斜面等の侵食、崩壊を防止することを特徴とする請求項２記載の多孔中空型又は多孔半中空型ブロックマットの斜面等の保護及び緑化工法から構成される。
【００１５】
又、多孔質フィルター材で製造された各ブロック枠は、繊維フィルターシート（２）上に配置されたブロック中空部（１ｂ）又は半中空部（１ｂ’）及びブロック相互の間（３）に土砂・培養土又は木材チップ等の生育基盤材を充填したとき同時に植物を発芽・発根・活着させ斜面等に全植生・全緑化を可能とすることを特徴とする請求項２又は３記載の多孔中空型又は多孔半中空型ブロックマットの斜面等の保護及び緑化工法から構成される。
【００１６】
又、多孔中空型ブロックマット（１）（２）又は多孔半中空型ブロックマット（１’）（２）は、軽量化及び大型化を可能とし、且つ、該多孔中空又は半中空型ブロックマットを必要量ずつ施工現場に搬送し、敷設準備の整った斜面等へ１枚ずつクレーン及び吊り治具を介して敷き並べ安定杭等で固定して前記斜面を被覆することにより一時的に保護した後、雨水又は散水によって植物を発芽・発根・活着させ植生によって斜面等を安定させることを特徴とする請求項２又は３又は４記載の多孔中空型又は多孔半中空型ブロックマットの斜面等の保護及び緑化工法から構成される。
【００１７】
次に、ブロックマットの施工方法に関して詳述すると、整形された地表面を繊維フィルターシート（２）により直接降雨による地表面の浸食を防止し再整形等の補修を軽減できる。また繊維フィルターシート（２）上に配置されたブロックの中空部（１ｂ）又は半中空部（１ｂ’）及びブロック相互の間（３）に土砂又は培養土を充填したときブロック中空部（１ｂ）又は半中空部（１ｂ’）とブロック相互の間（３）が枠形状となる。
【００１８】
又、法面の斜面肩部と水平部とを一体化した繊維フィルターシート（２）により連結した状態で敷設し、且つ、斜面肩水平部で、杭打ち等で固定しブロックマットを安定させる。
【００１９】
そして、多孔中空型又は多孔半中空型ブロックを使用することにより製品の軽量化が可能となり客土厚の変更による製品のコストアップ等に対しても製品の軽量化をする事により差ほど悪影響を受けない。
【００２０】
【発明の効果】
多孔中空型ブロック（１）又は多孔半中空型ブロック（１’）は、土砂・培養土又は木材チップ等の生育基盤材を充填したとき、これらを各ブロック枠で保護し流出防止する事ができると同時に、多孔中空又は多孔半中空ブロック及びフィルターシートの各断面が集排水（透水フィルター）機能を有し、降雨及び地下水等を斜面外に排除することができる。又、多孔中空ブロックを使用することにより、各ブロック材に植生が可能となり、敷設部全体に緑化が可能となり自然景観の維持が図れる。
【００２１】
又、多孔中空型又は多孔半中空型ブロックは軽量であり運搬車両の荷台内寸に合わせてマットの長さ寸法及び幅寸法を大きくできることにより製造・荷積・運搬・現場内搬送・敷設においての安全かつ作業効率を向上させるとともにコスト低減が図れる。
【００２２】
又、各種の環境改善製品として利用することが可能であり、特に都市の環境改善として注目されている屋上緑化における緑化生育基盤材として期待される。また多孔性質を特徴とした、河川・湖沼・溜池等の水質環境改良材及び漁礁・藻場等の水産資源材としても利用できる等、極めて有益なる効果を奏するものである。
【図面の簡単な説明】
【図１】この発明の一実施例を示し、（Ａ）は中空型ブロックの平面図で、（Ｂ）は正面図で、（Ｃ）は（Ａ）のａ−ａ断面図である。
【図２】この発明の一実施例を示し、（Ａ）は半中空型ブロックの平面図で、（Ｂ）は正面図で、（Ｃ）は（Ａ）のａ−ａ断面図である。
【図３】この発明の一実施例を示し、（Ａ）は多孔中空ブロックマットの平面図で、（Ｂ）（Ａ）のａ−ａ断面図で、（Ｃ）は（Ｂ）のｂ部拡大詳細図である。
【図４】この発明の使用例を示し、斜視図である。
【符号の説明】
１  中空型ブロック
１ａ  中空型ブロックの本体
１ｂ  中空型ブロックの中空部
１’  半中空型ブロック
１ａ’  半中空型ブロックの本体
１ｂ’  半中空型ブロックの中空部
２  繊維フィルターシート
３  ブロック相互の間
Ｇ  係着手段
Ｍ  混合物
【図１】
2004344063.tif 000003
【図２】
2004344063.tif 000004
【図３】
2004344063.tif 000005
【図４】
2004344063.tif 000006